(57)【特許請求の範囲】
【請求項１】
前方にフェース面を形成し、先端トウから後端ヒールに向かって比較的細長く延びる金属製ヘッドと、このヘッドの上部ヒール寄り位置に取り付けられたパイプ状シャフトよりなるパターにおいて、上記シャフトはその先端部をヘッドに設けた取付け孔に挿入し固着一体化すると共に、フェース面に投影されたヘッドの重心位置が、トウからヒールまでの長さの１／２地点よりヒール側に、且つヘッドのソールからトップまでの高さの１／２地点よりトップ側にあるとともに、シャフト先端部の中空部分に重心調整用錘を具備することを特徴とするパター。
【請求項２】
上記シャフトは、ヘッドに固定された先端部がヘッドのトップ位置を越えて所定長さほぼ垂直に延びる部分を有し、延び終わった地点からヘッドのトウ側へ屈曲傾斜して比較的短く延びる屈曲部と、屈曲部上端から更にヘッドのヒール側へ屈曲傾斜しグリップエンド位置まで延びる主部を含むことを特徴とする請求項１記載のパター。
【請求項３】
シャフトの先端部は、ヘッドのヒールからヘッド長さの１／３地点よりヒール側に固定されていることを特徴とする請求項１又は２記載のパター。
【請求項４】
上記錘は、シャフト先端部のヘッド内に固定された部分からヘッドのトップ部を越えて延びる部分に亘って配置されたことを特徴とする請求項１乃至３のいずれか１項に記載のパター。
【請求項５】
シャフトの先端部から屈曲部に亘る部分にコイルスプリング状の錘が配置されていることを特徴とする請求項２乃至４のいずれか１項に記載のパター。
【請求項６】
上記錘はヘッドよりも比重が大きい金属よりなることを特徴とする請求項１乃至４のいずれか１項に記載のパター。
【発明の詳細な説明】
【０００１】
【発明の属する技術分野】
本発明はグリーン上においてゴルフボールを打とうと構えたとき、カップに向かって方向が取易く、打ったときぶれにくいゴルフ用パターに関するものである。
【０００２】
【従来技術】
ゴルフ用パターには種々のタイプがあるが、ピンタイプ、これと機能的に類似したＬ字タイプ、及びマレットタイプが特に好んで使用されている。
【０００３】
図４及び図５は、それぞれピンタイプパターのフェース部側からみた部分斜視図およびバック部側からみた部分斜視図である。
図４、５に示すピンタイプの特徴は、パターPにつきヘッド1のヒール4側に寄ったトップ部5から、上端部をパイプ状に膨出させたホーゼル（ネックとも云う）Hを形成し、上記膨出部の孔内にシャフト2の先端部を挿入し固定した点にある。なお、図示のヘッド1はホーゼルHにつき、シャフト2が固定されたパイプ状上部分をフェース部7側へ屈折させ、オフセットが形成されている。
【０００４】
図６及び図７はそれぞれマレットタイプパターのフェース部側からみた部分斜視図、およびバック部側からみた部分斜視図である。
マレットタイプは、ヘッド1のヒール4に寄ったトップ部5位置にシャフト固定用の孔を穿ち、この孔にシャフト2の先端部を挿入し、直接固定されている。
【０００５】
【発明が解決しようとする課題】
上記ピンタイプパターは、ヘッドのヒール寄りにホーゼルを具備することもあって、ヘッドの重心位置がヘッド長さの中心よりもヒール寄りにあり、加えてボールをうつとき、ヘッド上におけるシャフト軸の延長部とホーゼルの立上がり部との間で打つ方が打球の方向が安定し、そのため上級ゴルファーに好まれる傾向がある。しかしながら一方で、ボールを打とうと構えたとき、視線の方向にホーゼルが存在するため、その部分を意識せざるを得ず、障害になると云う問題がある。
【０００６】
またマレットタイプのパターは、ヘッドの重心位置がヘッド長さの中心よりも通常ややトウ寄りにあり、且つシャフト軸の延長上よりもトウ寄りにあり、そのためボールを打ったとき方向がぶれ易かった。
【０００７】
本発明は上記問題点に鑑みなされたもので、ボールを打つとき視線の方向に気になる障害物を有さず、グリーン上で構えたときカップに向かって方向が取易く、また打球にぶれが生じにくいパターを提供することを目的とする。
【０００８】
【課題を解決するための手段】
本発明は、前方にフェース面を形成し、先端トウから後端ヒールに向かって比較的細長く延びる金属製ヘッドと、このヘッドの上部ヒール寄り位置に取り付けられたパイプ状シャフトよりなるパターにおいて、上記シャフトはその先端部をヘッドに設けた取付け孔に挿入し固着一体化すると共に、フェース面に投影されたヘッドの重心位置が、トウからヒールまでの長さの１／２地点よりヒール側に、且つヘッドのソールからトップまでの高さの１／２地点よりトップ側にあるとともに、シャフト先端部の中空部分に重心調整用錘を具備することを特徴とするパターである。
【０００９】
【発明の実施の形態及び実施例】
本発明において上記シャフトは、ヘッドに固定された先端部が、ヘッドのトップ位置を越えて所定長さだけほぼ垂直に延びる部分を形成し、延び終わった地点からヘッドのトウ側へ屈曲傾斜して比較的短く延びる屈曲部と、屈曲部上端から更にヘッドのヒール側へ屈曲傾斜しグリップエンド位置まで延びる主部によって構成することが好ましい。
またシャフトの先端部は、ヘッドのヒールからヘッド長さの１／３地点よりヒール側に固定されていることが好ましい。
【００１０】
上記フェース面に投影されるヘッドの重心位置を調整するための錘を、パイプ状シャフト先端部の中空部分に配置することが好ましい。そしてこの錘は、シャフト先端部のヘッド内に固定された部分からヘッドのトップ部を越えて延びる部分に亘って配置することが好ましい。
【００１１】
上記錘用の材料は、ヘッドのそれよりも比重が大きい金属を使用することが好ましい。例えば、ヘッド部分の材料として、マグネシュウム合金（比重…以下同じ…２．０）、アルミニューム（２．７）またはその合金、チタン（４．５）またはその合金、鉄（７．６）、ステンレス（７．８）、アモルファス（ベリリュウム系合金の場合７．８）等を用いる場合、錘用としては、銅（８．９）またはその合金、ニッケル（８．９）、タングステン（１９．３）またはその合金等を使用することができる。
ヘッド部分の材料として挙げた上記材料を錘用として用いたり、錘用材料として挙げた上記材料をヘッド用として用いることができることは勿論である。その場合ヘッドの材料対比、錘として格段に比重の大きい材料を用いることによって、当然のことながら、見掛け上少量の錘使用によって目的を達成することができる。
【００１２】
ヘッドおよび錘は、単一材料によらず、種類の異なる複合材料によって形成することができる。
また、ヘッド重心調整のための錘は、上に述べた、シャフト先端部の中空部内および／またはヘッドのバック部、フェース部等の適宜位置に固着、埋設等の手法によって配置することができる。
【００１３】
以下図面に基づき説明する。
図１は本発明における１実施例を示すパターの正面図、図２は図１におけるA−A断面図である、そして図３は図２におけるB−B断面図である。
本発明においてパターPは、前方にフェース面（またはフェース部）7を形成し、先端トウ3から後端ヒール4に向かって比較的細長く延びる金属製ヘッド1と、このヘッドの上部ヒール4寄り位置に取付けられたパイプ状シャフト2よりなり、上記シャフト2はその先端部10をヘッド1に設けた取付け孔12に挿入し固着一体化すると共に、フェース面7に投影されたヘッドの重心位置gが、トウからヒールまでの長さmの１／２地点よりヒール4側に、且つヘッドのソールからトップまでの高さhの１／２地点よりトップ部5側、即ち、幾何学上の中心点pよりもヒール4側およびトップ部5側に寄った位置に重心位置g存在するものとする。
【００１４】
図１、２、３、に示す実施例においてシャフト２は、ヘッド１に固定された先端部１０がヘッドのトップ部５の位置を越えて所定長さｉだけほぼ垂直に延びる部分を形成し、延び終わった地点からヘッドのトウ３側へ比較的短く延びる屈曲部１１と、屈曲部１１の上端から更にヘッドのヒール４側へ屈曲傾斜し、グリップエンド位置（図示せず）まで延びる主部９によって構成されている。
シャフト先端部１０のヘッドトップ部５より上方へ延びる部分の高さｉは、２９ｍｍ以下であり、好ましくは２４〜２９ｍｍである。またヘッド１上に延びるシャフト屈曲部終端までの高さｊは８０〜１００ｍｍが好ましい。
【００１５】
シャフトの屈曲部11は、この実施例においては、上に述べたトウ3側のみならず、フェース面7側へも屈曲している。その結果、シャフト主部9の中心線sは、ヘッドのロフト角αをもって傾斜したるフェース面7の垂線vよりも距離yだけ前方に突出している。距離yは４〜１０mmが好ましい。
ロフト角αの適用範囲は０°〜６°であり、就中２．５°〜４．５°が好ましい範囲である。ロフト角αが０°を越えてマイナス方向へ傾斜した場合、ボールを地面に向かって打つこととなり、ボールが跳ねたりして打球に正確な距離が得られない。一方ロフト角αが６°を越えると、上方へボールが飛出し、この場合も同様に打球に正確な距離が得られない。
【００１６】
ヘッド１の全体的形状については、ヘッド長さｍはヘッド幅ｎより大である方が好ましい。ヘッド長さｍは９０〜１２０ｍｍであり、ヘッド幅ｎは２２〜３５ｍｍである。またヘッド高さｈは２２〜３０ｍｍ、好ましくは２３ｍｍ〜２６ｍｍである。ヘッド高さｈが２２ｍｍに満たないときは、実質上ゴルフボールの半径と同等、またはそれ以下となり打ちにくい。一方３０ｍｍを越えると地面とヘッドの位置関係が捉えにくく、これまた打ちにくい。
【００１７】
さて、本発明において錘14の好ましい配置位置として、ヘッドに取付けられたシャフト先端部10の中空部13内である。図３に示す実施例においては、ヘッドに取付けられたシャフト先端部10の下端、即ちシャフト取付け孔12の底17、からヘッドのトップ部5のレベルを越えて、屈曲部11に近接する位置まで円柱状錘15を配置している。そして更に、円柱状錘15の上端が位置するシャフト先端部10から屈曲部11に亘る部分に弾性変形が容易なコイルスプリング状の錘16を配置している。コイルスプリング状の錘16は比重が比較的大きい金属材料によって形成することができるが、ゴムや樹脂のような弾性材料に比重の大きい金属の粉末を混合し形成することもできる。
【００１８】
重心位置調整用錘は、シャフト先端部10の中空部13内に配置する円柱状錘15単独でもよいが、上に述べたようにコイルスプリング状錘16との併用、これに加えて、図示を省略しているが、ヘッド1のバック部8及び／またはフェース部7等適当な部分に錘を固着、または埋設することができることは勿論である。
【００１９】
本発明において、フェース面７に投影されたヘッドの重心位置ｇは、ヘッド長さｍの１／２地点よりヒール４側であって、ヘッド高さｈの１／２地点よりトップ部５側にあるものとする。即ち、ヘッドのｍ／２、ｈ／２地点ｐよりもヒール４側であり、且つトップ部５側に重心位置ｇは存在する。重心位置ｇは、位置ｐよりヒール４側に２〜５ｍｍ、トップ部５側に２〜５ｍｍの部分が好ましい。また、重心位置ｇは、シャフト主部９の中心軸線ｓの延長線とシャフト先端部１０の中心軸線ｔとの区間に存在することが更に好ましい。
【００２０】
このようにしてなる本発明のパターの性能を、マレットタイプ（図６、７）とピンタイプ（図４、５）を交えて確かめるため、表１に示す構造のパターを試作し、グリーン上での実打テストを実施した。
【表１】
0004287957.tif 000002
表１において、比較例１はマレットタイプ、比較例２はピンタイプのヘッドである。そしてシャフトに関しては、先端部の内径が７．８mmのスチール製パイプ状シャフトを共通して使用した。
表１において、重心位置調整用の錘は、実施例の場合タングステン鋼を円柱状錘15として円柱状に加工し、図３に示すシャフトの先端部10内に配置した。比較例１（マレットタイプ）の錘配置位置は、トウとヒール部である。
また表１の重心位置欄において、左側の数値は、図１を参照し、ヘッド長さm方向の中心pに対する位置を示し、中心pよりもヒール4側にあるとき＋、トウ3側のときは−とし、右側の数値は、ヘッド高さh方向の中心pに対する位置を示し、中心pよりもトップ部5側ににあるとき＋、ソール部6のときは−で表示した。
【００２１】
テストの結果、実施例はボールを打ったとき打球の方向が安定し、視線方向にホーゼルのようなボリュウム感のある障害物が存在しないため構え易かった。これに対し比較例１は、構え易さについては実施例と同様に良好であったが、打球にぶれが生じた。また比較例２は、比較例１とは逆に打球の方向性はまあまあであったが、ボールを打とうと構えたときホーゼルの存在が気になり、構えにくかった。
【００２２】
【発明の効果】
このように本発明になるパターは、シャフトにつきその先端部をヘッドに設けた取付け孔に挿入し固着一体化すると共に、フェース面に投影されたヘッドの重心位置が、トウからヒールまでの長さの１／２地点よりヒール側に、且つヘッドの下面ソールからトップまでの高さの１／２地点よりトップ側にあるため、構えたときボールがホーゼルのような障害物に邪魔されることなく打球が安定するのである。
【図面の簡単な説明】
【図１】本発明における１実施例を示すパターの正面図である。
【図２】図１におけるA−A断面図である。
【図３】図２におけるB−B断面図である。
【図４】ピンタイプパターのフェース部側からみた部分斜視図である。
【図５】同じくバック部側からみた部分斜視図である。
【図６】マレットタイプパターのフェース部側からみた部分斜視図である。
【図７】同じくバック部側からみた部分斜視っずである。
【符号の説明】
1  ヘッド
2  シャフト
3  トウ
4  ヒール
5  トップ部
6  ソール部
7  フェース面
【図１】
0004287957.tif 000003
【図２】
0004287957.tif 000004
【図３】
0004287957.tif 000005
【図４】
0004287957.tif 000006
【図５】
0004287957.tif 000007
【図６】
0004287957.tif 000008
【図７】
0004287957.tif 000009